(57)【要約】      （修正有）【課題】ユーザが制御しようとする電子装置を選択することができるように、ＨＤＭＩ（登録商標）−ＣＥＣ規格に準拠した遠隔操作方法において、モバイル装置を用いて遠隔操作プログラムを起動し、遠隔操作プログラムが起動後にモバイル装置近傍のＨＤＭＩ−ＣＥＣ規格をサポートする１つ又は複数の電子装置を探索すると共にその結果を表示する、ＨＤＭＩ−ＣＥＣ規格に準拠した遠隔操作方法及びシステムを提供する。【解決手段】ＨＤＭＩ−ＣＥＣ遠隔操作システムに合致したフレームにおいて、起動装置及びこの起動装置に接続される１つ又は複数の被制御装置を含み、又は各電子装置４２がいずれも無線信号送受信装置４１を介してモバイル装置４０に制御される。被制御装置が選択されたことを受信すると、遠隔操作プログラムが選択された装置に対応する制御インターフェースを起動する。【選択図】図４
2017038345.tif 000002
【特許請求の範囲】
【請求項１】
モバイル装置を用いて遠隔操作プログラムを起動することで、前記遠隔操作プログラムが、無線通信プロトコルに合致した信号によって前記モバイル装置近傍のＨＤＭＩ−ＣＥＣ規格をサポートする１つ又は複数の電子装置を探索した結果として少なくとも１つの電子装置を前記モバイル装置の表示画面に表示する工程と、
前記遠隔操作プログラムが、電子装置が選択されたことを受信すると、前記電子装置の制御インターフェースを起動する工程と、
前記遠隔操作プログラムが、前記制御インターフェースを介して生成された制御命令を受信する工程と、
前記制御命令を無線制御信号に変換する工程と、
前記無線制御信号を前記電子装置に伝送する工程と、
を含むことを特徴とするＨＤＭＩ−ＣＥＣ規格に準拠した遠隔操作方法。
【請求項２】
前記電子装置は、無線信号送受信装置が外部接続方式により挿入接続され又は内蔵されており、
前記無線信号送受信装置には、前記モバイル装置から発せられた探索信号及び無線制御信号を受信する無線通信ユニットと、前記探索信号及び前記無線制御信号を処理してＨＤＭＩ−ＣＥＣ命令への信号変換を実行する信号処理ユニットとが設けられていることを特徴とする請求項１に記載のＨＤＭＩ−ＣＥＣ規格に準拠した遠隔操作方法。
【請求項３】
前記電子装置は、起動装置であり、又は、前記起動装置に接続される周辺装置であることを特徴とする請求項２に記載のＨＤＭＩ−ＣＥＣ規格に準拠した遠隔操作方法。
【請求項４】
前記１つ又は複数の電子装置を探索した結果としての情報を、前記無線信号送受信装置から取得し、探索が完了した後、前記表示画面に探索結果を表示すると共に、前記モバイル装置の記憶ユニットに記録することを特徴とする請求項２に記載のＨＤＭＩ−ＣＥＣ規格に準拠した遠隔操作方法。
【請求項５】
前記無線通信プロトコルは、ブルートゥース通信プロトコル、無線ＬＡＮプロトコル、又はＷｉ−Ｆｉダイレクトプロトコルであり、近傍のＨＤＭＩ−ＣＥＣ規格をサポートする装置を探索することで、前記１つ又は複数の電子装置の情報を取得することを特徴とする請求項４に記載のＨＤＭＩ−ＣＥＣ規格に準拠した遠隔操作方法。
【請求項６】
モバイル装置において実行され、前記モバイル装置の記憶ユニット内に格納される遠隔操作プログラムであって、前記モバイル装置のプロセッサが実行する命令が、無線通信プロトコルに合致した信号によって前記モバイル装置近傍のＨＤＭＩ−ＣＥＣ規格をサポートする電子装置を探索する命令と、探索によって得られた前記モバイル装置近傍のＨＤＭＩ−ＣＥＣ規格をサポートする電子装置を表示する命令と、そのうちの１つの電子装置に決定する命令と、選択された前記電子装置に対応する制御インターフェースを表示する命令と、前記制御インターフェースを介して生成された制御命令を受信する命令と、前記制御命令を無線制御信号に変換する命令と、前記無線制御信号を前記電子装置に伝送する命令と、を含む遠隔操作プログラムと、
前記モバイル装置が伝送した信号を受信する無線通信ユニットと、前記モバイル装置が伝送した信号を処理する信号処理ユニットと、その他の電子装置を接続する装置接続ユニットと、を含む、前記電子装置に内蔵又は外部接続される無線信号送受信装置と、
を含むことを特徴とするＨＤＭＩ−ＣＥＣ規格に準拠した遠隔操作システム。
【請求項７】
前記遠隔操作プログラムは、前記モバイル装置内にインストールされたアプリケーションプログラムであり、起動後に、前記無線通信プロトコルに合致した信号によって前記モバイル装置近傍のＨＤＭＩ−ＣＥＣ規格をサポートする電子装置を探索し始め、探索が完了した後、ユーザインターフェースを起動して、前記表示画面に探索結果を表示すると共に、前記モバイル装置の前記記憶ユニットに記録することを特徴とする請求項６に記載のＨＤＭＩ−ＣＥＣ規格に準拠した遠隔操作システム。
【請求項８】
前記内蔵又は外部接続される無線信号送受信装置には、前記１つ又は複数の被制御装置の識別データを記録するためのデータユニットが設けられていることを特徴とする請求項６に記載のＨＤＭＩ−ＣＥＣ規格に準拠した遠隔操作システム。
【請求項９】
前記モバイル装置近傍のＨＤＭＩ−ＣＥＣ規格をサポートする電子装置を探索した結果としての情報は、前記無線信号送受信装置によって取得されることを特徴とする請求項６乃至８のいずれか１項に記載のＨＤＭＩ−ＣＥＣ規格に準拠した遠隔操作システム。
【請求項１０】
前記電子装置は、起動装置であり、又は、前記起動装置に接続される被制御装置であることを特徴とする請求項９に記載のＨＤＭＩ−ＣＥＣ規格に準拠した遠隔操作システム。
【発明の詳細な説明】
【技術分野】
【０００１】
本発明は、電子装置の遠隔操作方法及びシステムに関し、特にＨＤＭＩ−ＣＥＣ規格に準拠した電子装置の遠隔操作の方法、及び、スマートコンピュータ装置を採用した遠隔操作システムに関する。
【背景技術】
【０００２】
高精細度マルチメディアインターフェース（High Definition Multimedia Interface、ＨＤＭＩ）は、映像及び音声をフルデジタル化して伝送するインターフェースであり、１つのケーブルで同時にオーディオ信号及びビデオ信号を伝送することができ、現行のビデオ家電の標準規格となりつつある。この高精細度マルチメディアインターフェースを採用している一般的な機器としては、デジタルテレビ（ＨＤＴＶ）、セットトップボックス（Ｓｅｔ−Ｔｏｐ  Ｂｏｘ、ＳＴＢ）、ＤＶＤ／ブルーレイビデオプレーヤ、テレビゲーム機等が挙げられる。
【０００３】
その後、このＨＤＭＩ規格を提唱した組織は、ＨＤＭＩ基準に家電制御（Consumer Electronics Control、ＣＥＣ）機能を盛り込んだ。
【０００４】
ＣＥＣ規格に準拠した構成は、一本の双方向コミュニケーション機能を有するケーブル（１−Ｗｉｒｅ）を介して各種ＣＥＣ規格に準拠した機器を接続し、１つのリモートコントローラーでこのＣＥＣライン上のＣＥＣ規格に準拠した機器への接続を制御することを可能とするものである。図１に示すように、ユーザは、リモートコントローラー１２を操作することで、リモートコントローラー１２によって一般的に起動装置（この例ではテレビ装置１０）に対して制御信号を生成することができる。この信号は、通常は赤外線信号である。制御される装置がこのテレビ装置１０に接続された周辺装置（１０１、１０２、１０３）である場合、このＨＤＭＩ起動装置を介してＣＥＣ制御信号を切り替えて周辺装置（１０１、１０２、１０３）等のビデオソースに送信することができる。周辺装置を制御するために、ＣＥＣ制御信号が図に示すＨＤＭＩケーブルによってテレビ装置１０に接続される周辺装置（１）１０１、周辺装置（２）１０２及び周辺装置（３）１０３に伝わるように、リモートコントロールパススルー命令（Remote Control Pass Through）によって上記起動装置を介して制御信号を周辺装置に転送する。これら周辺装置としては、セットトップボックス、ビデオプレーヤ、テレビゲーム機等が挙げられる。
【０００５】
そこで、ＣＥＣフレームにおいては、１つのリモートコントローラーのみを用いて、主要なＨＤＭＩ装置を介してこのＣＥＣ規格に準拠した装置に接続されたその他の周辺機器を遠隔操作することが可能であり、ＣＥＣ機能によって各種ＡＶ家電のリモートコントローラーの数を効果的に低減することができる。
【発明の概要】
【発明が解決しようとする課題】
【０００６】
本発明は、ＨＤＭＩ−ＣＥＣ規格に準拠した遠隔操作方法及び遠隔操作システムを提供することを課題とする。ＨＤＭＩ−ＣＥＣ規格に準拠した遠隔操作方法は、特に、モバイル装置等のコンピュータ装置に対して実行される。その遠隔操作プログラムとしては、例えばモバイル装置上で実行されるモバイルアプリケーションプログラム（ＡＰＰ）が挙げられる。本発明は、この遠隔操作プログラムによってＨＤＭＩ−ＣＥＣに準拠した各種機器を実行することができるため、従来技術におけるリモートコントローラーに取って代わることができ、各機器それぞれに専用のリモートコントローラーを必要とする煩わしさを回避できると共に、ひいてはリモートコントローラーの紛失によって生じる問題を解決することができる。
【課題を解決するための手段】
【０００７】
まず、ＨＤＭＩ−ＣＥＣ装置が無線接続できるように、ＨＤＭＩ−ＣＥＣ装置に外部接続又は内蔵される無線信号送受信装置を提供する。無線信号送受信装置は、無線信号をモバイル装置との間で送受信する無線通信ユニット、信号処理を実行しＨＤＭＩ−ＣＥＣ命令を生成する信号処理ユニット、及び電子装置に接続される装置接続ユニットを有する。
【０００８】
１つの実施例において、ＨＤＭＩ−ＣＥＣ規格に準拠した遠隔操作方法によれば、ユーザは、モバイル装置等であるコンピュータ装置を操作して遠隔操作プログラムを起動することができ、遠隔操作プログラムを起動することで、近傍の電子装置を探索するステップを実行することができる。ここで採用する無線通信プロトコルは、ブルートゥース通信プロトコル、無線ＬＡＮ、Ｚ−Ｗａｖｅ、ＺｉｇＢｅｅ又はＷｉ−Ｆｉダイレクトプロトコルであり、放送方式によって各種無線通信プロトコル規格をサポートする近傍のパケットを探索する命令を発することで、少なくとも１つの起動装置及び１つ又は複数の被制御装置の情報を取得する。次いで、表示画面に探索で得られたすべての電子装置を表示する。
【０００９】
最初から、モバイル装置中において実行される遠隔操作プログラムによって１つ又は複数の被制御装置の選択肢リストが表示されており、ユーザが被制御装置を選択すれば、遠隔操作プログラムが対応する制御インターフェースを提供する。ユーザが操作すると、遠隔操作プログラムが、制御インターフェースを介して生成された制御命令を受信すると共に、当該制御命令を無線制御信号に変換して、被制御装置に当該無線制御信号を伝送する。
【００１０】
モバイル装置において実行される遠隔操作プログラムは、モバイル装置の記憶ユニット内に格納される。モバイル装置のプロセッサが実行する命令には、無線通信プロトコルに合致した信号によってモバイル装置近傍のＨＤＭＩ−ＣＥＣ規格をサポートする電子装置に接続された無線信号送受信装置を探索する命令、探索によって得られたモバイル装置近傍のＨＤＭＩ−ＣＥＣ規格をサポートする電子装置を表示する命令、電子装置を決定する命令、電子装置の制御インターフェースを表示する命令、制御インターフェースを介して生成された制御命令（ユーザコマンド（ｕｓｅｒ  ｃｏｍｍａｎｄ））を受信する命令、制御命令を無線制御信号に変換する命令、及び、無線制御信号を電子装置に伝送する命令が含まれる。
【発明の効果】
【００１１】
本発明に係るＨＤＭＩ−ＣＥＣ規格に準拠した遠隔操作方法及び遠隔操作システムによれば、モバイル装置内において実行される遠隔操作プログラムによって実質的に従来のリモートコントローラーとしての機能を取得し、遠隔操作プログラムが起動装置選択肢、被制御装置選択肢、対応する制御インターフェースを提供して、無線信号送受信装置が制御命令をＨＤＭＩ−ＣＥＣ規格に準拠した命令に変換することができる。従って、本発明は、より便利で、且つ従来の各被制御装置それぞれにリモートコントローラーを必要とする等の煩わしさを解消することができる。
【図面の簡単な説明】
【００１２】
【図１】従来技術のＨＤＭＩ−ＣＥＣ技術の適用を示した図である。
【図２】本発明に係る遠隔操作システムの使用を示した図である。
【図３】本発明に係る遠隔操作システムの各装置の回路ユニットの実施例を示した図である。
【図４】本発明に係る遠隔操作システムの各装置の機能ブロックの実施例を示した図である。
【図５】本発明に係る遠隔操作システムのフレームの実施例を示した図である。
【図６】本発明に係る遠隔操作システムの他のフレームの実施例を示した図である。
【図７】本発明に係る遠隔操作システムの更に他のフレームの実施例を示した図である。
【図８Ａ】本発明に係る遠隔操作システムにおいてモバイル装置内での制御インターフェースの選択に実行されるソフトウェアプログラムの実施例を示した図である。
【図８Ｂ】本発明に係る遠隔操作システムにおいてモバイル装置内での制御インターフェースの選択に実行されるソフトウェアプログラムの実施例を示した図である。
【図８Ｃ】本発明に係る遠隔操作システムにおいてモバイル装置内での制御インターフェースの選択に実行されるソフトウェアプログラムの実施例を示した図である。
【図８Ｄ】本発明に係る遠隔操作システムにおいてモバイル装置内での制御インターフェースの選択に実行されるソフトウェアプログラムの実施例を示した図である。
【図９Ａ】本発明に係る遠隔操作システムにおいてモバイル装置内で実行されるソフトウェアプログラムの実施例（１）を示した図である。
【図９Ｂ】本発明に係る遠隔操作システムにおいてモバイル装置内で実行されるソフトウェアプログラムの実施例（２）を示した図である。
【図９Ｃ】本発明に係る遠隔操作システムにおいてモバイル装置内で実行されるソフトウェアプログラムの実施例を示した図（３）である。
【図１０】本発明に係る遠隔操作方法の実施例を示したフローチャートである。
【発明を実施するための形態】
【００１３】
以下、本発明が所定の目的を達成するために採用した技術、方法及び本発明の効果を更に理解することができるように、図面を参照しながら本発明を詳細に説明する。これにより、本発明の目的及び特徴をより深く且つ具体的に理解することができる。但し、図面は本発明を説明するための参考に供するものに過ぎず、本発明を制限するものでないことは言うまでもない。
【００１４】
図１に示す従来技術においてＨＤＭＩ−ＣＥＣ技術を採用した場合の遠隔操作方式とは異なり、本発明に係る電子装置の遠隔操作方法及びシステムにおいて、遠隔操作方法では、モバイル装置内にインストールされたモバイルアプリケーションプログラム（例えばＡＰＰ）を介して遠隔操作を実行する。その遠隔操作の対象としては、主として、例えばテレビ装置であるＨＤＭＩ−ＣＥＣ規格に準拠した電子装置と、当該電子装置とＨＤＭＩポートを介して接続された各種周辺装置とが挙げられる。両者の接続はＨＤＭＩ−ＣＥＣ接続を構築することによってなされる。また、当該周辺装置としては、例えばセットトップボックス、ビデオプレーヤ、テレビゲーム機等各種ＡＶ機器が挙げられる。
【００１５】
図２は、本発明に係るＨＤＭＩ−ＣＥＣ規格に準拠した遠隔操作システムの使用を示した図である。
【００１６】
図２に示すシステムにおいては、表示装置２０が設けられる。当該表示装置２０は、特に、例えばテレビ装置である、ＡＶマルチメディアコンテンツを表示する装置である。この表示装置２０は、ＨＤＭＩ−ＣＥＣ規格に準拠した電子装置であってもよい外、図中に示したシステムの実施例では、起動装置（Starting Device）、即ちＨＤＭＩ−ＣＥＣ信号を処理する主要装置であり、モバイル装置２２が信号を受信し、１つのシステムが複数の起動装置を有してもよい。更に言えば、本実施例の表示装置２０のように、起動装置は、無線信号送受信装置２０１を有する機器でもある。この無線信号送受信装置２０１は、起動装置に外部接続されるハードウェア装置であってもよく、モジュールの形式で起動装置内に内蔵されてもよい。本発明において、表示装置２０は、各種周辺機器との間で通信することができ、周辺機器は、ＨＤＭＩ−ＣＥＣ規格に準拠した機器であって、ＨＤＭＩ−ＣＥＣを経由することで生成された信号を処理することができる。図に示す周辺機器は、ゲーム機２１、セットトップボックス２３及びビデオプレーヤ２５であってもよく、これらの機器は表示装置２０を介してコンテンツを表示する。ゲーム機２１及びセットトップボックス２３におけるＡＶコンテンツは、インターネット２００から取得することができる。
【００１７】
ユーザは、モバイル装置２２を操作して遠隔操作方法を実行する遠隔操作プログラムをインストールすることができる。遠隔操作プログラムは、モバイルアプリケーションプログラム（例えばＡＰＰ）であってもよく、モバイル装置２２内にインストールされる。ユーザがモバイル装置２２を操作して遠隔操作プログラムを起動すると、遠隔操作プログラムは、表示装置２０に挿入接続（又は内蔵）された無線信号送受信装置２０１との間で接続を行う。その際、無線通信プロトコルは、例えばブルートゥース通信技術（Ｂｌｕｅｔｏｏｔｈ(tm)）、無線ＬＡＮ（ＷｉＦｉ(tm)）、若しくはＷｉ−Ｆｉダイレクト（ＷｉＦｉ  Ｄｉｒｅｃｔ）、又はその他の無線通信プロトコルであってもよい。
【００１８】
１つの実施例において、無線信号送受信装置２０１は、外部接続形式の信号受信機（例えばドングル）によって実施してもよい。無線信号送受信装置２０１は、例えばＵＳＢ等の実体インターフェース又は高精細度マルチメディアインターフェース（ＨＤＭＩ）を介して表示装置２０に接続される。遠隔操作プログラムは、表示装置２０を制御する制御命令を生成する。各周辺機器（２１、２３、２５）と表示装置２０との間には、家電制御（ＣＥＣ）チャネルが構築される。即ち、両者の接続は、ＨＤＭＩ−ＣＥＣ規格に準拠した接続であり、周辺機器においてＨＤＭＩ−ＣＥＣ信号を処理する必要があるが、各周辺機器はこの接続を介してＨＤＭＩ−ＣＥＣ規格に準拠した信号をスムーズに受信することができる。本発明に係るシステムにおいて、周辺装置は、必ずしも必要ではなく、モバイル装置２２が表示装置２０を直接制御する構成としてもよい。
【００１９】
次いで、図３は、ＨＤＭＩ−ＣＥＣ規格に準拠した遠隔操作システムの各装置の回路ユニットの実施例を示した図である。
【００２０】
本実施例において、表示装置３０は、ＨＤＭＩ−ＣＥＣ起動装置である。表示装置３０は、同様にその一端がＨＤＭＩポートを介して１つ又は複数の周辺装置３４に接続され、ＨＤＭＩ−ＣＥＣ接続３１２が構築される。本実施例において、周辺装置３４は、ＨＤＭＩ−ＣＥＣ規格をサポートでき、且つ関連制御信号を処理することができる装置である。
【００２１】
図に示すように、表示装置３０に外部接続される無線信号送受信装置３１が設けられており、両者はいずれもＨＤＭＩ−ＣＥＣ接続３１１によって接続される。制御信号は、特にこのＨＤＭＩ−ＣＥＣに準拠した接続３１１を伝わる。このＨＤＭＩ−ＣＥＣ規格に準拠した遠隔操作システムにおいては、モバイル装置３２内において実行される遠隔操作プログラムがこの無線信号送受信装置３１との接続（又はマッチング）を実行することによって初めて、遠隔操作プログラムが生成した信号を表示装置３０内に伝送して、ＣＥＣチャネルを構築すると共にＨＤＭＩ接続によって接続された各種周辺装置を制御する目的を達成することが可能となる。
【００２２】
表示装置３０は、例えばテレビ装置であり、又は各周辺装置３４が生成したコンテンツを提供する任意の装置であり、ＨＤＭＩビデオ信号及びＣＥＣ命令を伝達する第１のＨＤＭＩ接続インターフェース３０１が設けられている。
【００２３】
無線信号送受信装置３１は、第２のＨＤＭＩ接続インターフェース３０７と組み合わされると共に、ＨＤＭＩ−ＣＥＣ接続３１１によって通信をおこなう。ユーザは、モバイル装置３２における遠隔操作プログラムを操作することで、制御命令を生成し、無線信号送受信装置３１と通信する無線制御信号に変換して、無線信号送受信装置３１に伝送する。その後、無線信号送受信装置３１が、対応するＨＤＭＩ−ＣＥＣ命令を生成して、マイクロコントローラ３０６に伝送し、マイクロコントローラ３０６がこれらの命令を処理する。命令が表示装置３０を制御する命令であれば、表示装置３０が命令に基づいて作動し、命令が周辺装置３４を制御する命令であれば、命令がＨＤＭＩ−ＣＥＣ接続３１２経由で第１のＨＤＭＩ接続インターフェース３０１から周辺装置３４に伝送される。
【００２４】
周辺装置３４における制御回路（図示せず）が、例えばビデオ再生の命令である上記制御命令に基づいて作動することにより、ビデオ信号が周辺装置３４によって表示装置３０に伝送され、ＨＤＭＩ−ＣＥＣ接続３１２経由で表示装置３０の第１のＨＤＭＩ接続インターフェース３０１に伝送される。表示装置３０のオーディオビデオ信号処理ユニット３０２は、ビデオ信号を処理すると共に、ビデオ出力ユニット３０３及びオーディオ出力ユニット３０４に伝送するのに用いられる。１つの実施例において、制御命令が例えば表示装置３０の音量を下げる命令である場合、マイクロコントローラ３０６がこの命令を実行して表示装置３０の音量を下げる。
【００２５】
図４は、本発明に係るＨＤＭＩ−ＣＥＣ規格に準拠した遠隔操作システムの各装置の機能ブロックの実施例を示した図である。モバイル装置４０は、主としてＨＤＭＩ−ＣＥＣ信号を処理する回路ユニットとして制御インターフェースユニット４０１、オペレーティングシステム４０３、記憶ユニット４０４、駆動ユニット４０５及び無線通信ユニット４０６といった、命令を無線信号送受信装置４１に伝送する回路を含み、電子装置４２に設けられた無線信号送受信装置４１は、主として無線通信ユニット４１１、信号処理ユニット４１２、装置接続ユニット４１５及びデータユニット４１６を含むと共に、装置接続４２１によって電子装置４２に接続される。この装置接続４２１は例えばＨＤＭＩ接続であるが、ＨＤＭＩ−ＣＥＣ制御信号を伝送可能なその他の接続であることを排除しない。無線信号送受信装置４１は、電子装置４２に外部接続又は内蔵されてもよい。
【００２６】
リモートコントローラー機能を実行するモバイル装置４０は、例えばスマートフォン、タブレットＰＣであるが、一般的なコンピュータ装置であってもよいことを排除しない。モバイル装置４０は、オペレーティングシステム４０３を搭載し、遠隔操作プログラムを実行し、信号を処理し、各回路ユニットを駆動することができる。モバイル装置４０には、本発明に係るＨＤＭＩ−ＣＥＣ規格に準拠した遠隔操作方法を実行する遠隔操作プログラムがインストールされており、当該遠隔操作プログラムは、モバイル装置４０の記憶ユニット４０４内に格納される。
【００２７】
制御インターフェースユニット４０１は、例えばタッチディスプレイである入力装置を含み、オペレーティングシステム４０３を介して遠隔操作プログラムを起動して、ユーザインターフェースを生成し、探索結果、選択肢、制御インターフェース等を提供する。制御インターフェースユニット４０１によって入力信号が受信されると、オペレーティングシステム４０３が処理をして、制御命令に変換する。オペレーティングシステム４０３は、この制御命令に基づいてファームウェアによって実施された駆動ユニット４０５によって無線通信ユニット４０６を駆動する。これにより、制御命令を無線制御信号に変換すると共に、モバイル装置４０から伝送して、無線信号送受信装置４１が受信する。
【００２８】
無線信号送受信装置４１は、主として回路ユニットから成り、モバイル装置４０との信号の遣り取りを処理する無線通信ユニット４１１を有する。これにより、モバイル装置から発せられた探索信号及び無線制御信号を受信することができる。無線通信ユニット４１１は、特定の無線通信プロトコルに合致したベースバンド回路及び無線周波数回路を含み、モバイル装置４０が伝送した信号（探索信号、無線制御信号）を受信する。
【００２９】
信号は、信号処理ユニット４１２に送られると、ＨＤＭＩ−ＣＥＣ命令に変換処理され、装置接続ユニット４１５及び装置接続４２１を介して電子装置４２に伝達される。この装置接続４２１はＨＤＭＩ−ＣＥＣ接続である。装置接続ユニット４１５は例えばＨＤＭＩポートである特定の接続ポート規格に合致した回路であり、装置接続４２１を介して電子装置４２に接続される。
【００３０】
電子装置４２が無線信号送受信装置４１と組み合わされることで、無線信号送受信装置４１は、装置接続４２１を介して電子装置４２からＨＤＭＩプロトコルによって識別データを取得して、当該識別データをデータユニット４１６に格納する。電子装置４２が周辺装置に接続される、又は無線信号送受信装置４１が電子装置に接続されることで、無線信号送受信装置４１及びデータユニット４１６のデータから識別データを取得することができる。無線信号送受信装置４１は、モバイル装置４０から伝送された走査信号を受信して、識別データをモバイル装置４０に伝送する。
【００３１】
モバイル装置４０が走査プロセスを完了すると、走査結果が構築されると共に、モバイル装置４０の記憶ユニット４０４内に格納される。記憶ユニット４０４は、オペレーティングシステム４０３のメモリであってもよく、遠隔操作プログラムが格納される。遠隔操作プログラムによって、無線信号送受信装置４１から識別データが取得されると、当該識別データはデータユニット４１６に格納される。モバイル装置４０によって次回走査プロセスが要求された場合、無線信号送受信装置４１は合理的な状況において、データユニット４１６内のデータを先に使用する。更に、迅速にデータを取得するために、識別データは記憶ユニット４０４に格納されてもよく、定期的に無線信号送受信装置４１におけるデータユニット４１６との間で同期して更新することができる。上記識別データは、例えば各被制御装置の識別コード（ＩＤ）、装置の型番、制御インターフェースとの接続、機能等の情報である。
【００３２】
次いで、図５は、本発明に係るＨＤＭＩ−ＣＥＣ規格に準拠した遠隔操作システムのフレームの実施例を示した図である。本実施例は、起動装置及び被制御装置に接続されたシステムフレームである。
【００３３】
図５に示すモバイル装置５０は、システム全体のリモートコントローラーである。起動装置５１には、モバイル装置５０と通信する無線信号送受信装置５１１が設けられる。無線信号送受信装置５１１は、外部接続によって起動装置５１に接続されてもよく、モジュールによって起動装置５１内に内蔵されてもよい。このシステムフレームにおいて、起動装置５１は、ＨＤＭＩ−ＣＥＣ規格に準拠した接続によって１つ又は複数の周辺装置に接続される。これら周辺装置は、この遠隔操作システムの被制御装置となる。
【００３４】
図に示すように、起動装置５１は、遠隔操作システム全体の主要な被制御装置である。即ち、ユーザは、モバイル装置５０を操作することで無線信号送受信装置５１１が内蔵又は外部接続される起動装置５１を直接制御することができる。この遠隔操作システムによって、ユーザは、接続されたその他の周辺装置（５３、５５、５７）を起動装置５１経由で制御することができる。例えば、周辺装置（１）５３及び周辺装置（３）５７と起動装置５１との間は、それぞれ直接ＨＤＭＩ−ＣＥＣ規格に準拠した接続５０１、５０５によって接続される。ユーザは、モバイル装置５０によって、無線信号送受信装置５１１を介して起動装置５１に直接接続される各周辺装置（５３、５７）を探索して知ることができる。
【００３５】
しかしながら、本発明に係る遠隔操作システムは、周辺装置（１）５３に更に接続されたその他の装置、例えば本実施例では周辺装置（２）５５をもサポートすることができる。両者は同様にＨＤＭＩ−ＣＥＣ規格に準拠した接続５０３によって接続される。この接続関係において、周辺装置（１）５３には、少なくとも２つのＨＤＭＩ−ＣＥＣ規格に準拠した接続ポートが設けられてもよい。このようなその他の周辺装置がブリッジ（bridge）接続される被制御装置は、起動装置５１及び他の被制御装置（例えば周辺装置（２）５５）を同時に接続する接続ポートを有する。従って、ユーザは、モバイル装置５０によって、無線信号送受信装置５１１経由で走査することによって周辺装置（２）５５の存在をも知ることができる。
【００３６】
図６は、本発明に係るＨＤＭＩ−ＣＥＣ規格に準拠した遠隔操作システムの他のフレームの実施例を示した図である。本実施例では、遠隔操作システムは、少なくとも２つの起動装置及び関連して接続された周辺装置を有する使用形態を取る。
【００３７】
図６に示すように、本実施例に係るＨＤＭＩ−ＣＥＣ規格に準拠した遠隔操作システムは、第１のＨＤＭＩ−ＣＥＣ起動装置６１及び第２のＨＤＭＩ−ＣＥＣ起動装置６２、並びに接続された周辺装置（１）６３、周辺装置（２）６４及び周辺装置（３）６５を有すると共に、２つのグループに分けられる。従って、ユーザは、モバイル装置６０を操作する場合、制御しようとする第１のＨＤＭＩ−ＣＥＣ起動装置６１及び第２のＨＤＭＩ−ＣＥＣ起動装置６２を先ず選択しなければならない。この時、ユーザが選択した起動装置を制御しようとすれば、選択が完了し、さもなければ、第１のＨＤＭＩ−ＣＥＣ起動装置６１に接続された周辺装置（１）６３を制御することを選択するか、又は、第２のＨＤＭＩ−ＣＥＣ起動装置６２に接続された周辺装置（２）６４與周辺装置（３）６５を制御することを選択しなければならない。
【００３８】
他の実施例において、モバイル装置６０は、最初に取得した各被制御装置を同時に表示することができる。即ち、ユーザが選択できるように、第１のＨＤＭＩ−ＣＥＣ起動装置６１、第２のＨＤＭＩ−ＣＥＣ起動装置６２、周辺装置（１）６３、周辺装置（２）６４及び周辺装置（３）６５等を同時に表示することができる。
【００３９】
他の実施例において、若し周辺装置（２）６４を制御しようとする場合、ユーザは、先ずモバイル装置６０を操作して、制御命令を生成して第２のＨＤＭＩ−ＣＥＣ起動装置６２にビデオソースを周辺装置（２）６４に切り替えさせた後、モバイル装置６０によって更に制御命令を第２のＨＤＭＩ−ＣＥＣ起動装置６２に発して、第２のＨＤＭＩ−ＣＥＣ起動装置６２にこの命令を周辺装置（２）６４に転送させ、周辺装置（２）６４がこの命令を実行するようにすればよい。他の方法では、ユーザは、モバイル装置６０によって、制御命令を無線信号送受信装置６１２に伝送して、無線信号送受信装置６１２に自動的に当該命令を第２のＨＤＭＩ−ＣＥＣ起動装置６２に伝送させて制御する目的を果たすこともできる。これは無線信号送受信装置６１２がこの機能についてプログラム化されているためである。
【００４０】
遠隔操作プログラムがモバイル装置６０において起動されると、記憶ユニットに記憶された起動装置及び被制御装置の設定を採用する以外に、更に探索手段によって第１のＨＤＭＩ−ＣＥＣ起動装置６１及び第２のＨＤＭＩ−ＣＥＣ起動装置６２並びに関連周辺装置（６３、６４、６５）の情報を取得することもできる。
【００４１】
図７は、各電子装置がいずれも無線信号送受信装置を介してモバイル装置に制御されるフレームの実施例を示した図である。このフレームにおいて、本実施例に係るＨＤＭＩ−ＣＥＣ規格に準拠した遠隔操作システムでは、各電子装置７１、７３、７５のそれぞれに無線信号送受信装置７１１、７３１、７５１が内蔵又は外部接続されており、遠隔操作プログラムを実行するモバイル装置７０によって制御される。
【００４２】
図に示すように、電子装置７１は、表示装置であってもよく、無線信号送受信装置７１１が設けられる。電子装置７１は、その一端がビデオ接続７０１によって電子装置７３に接続され、この電子装置７３には、このフレームにおいて、無線信号送受信装置７３１が内蔵又は外部接続され、モバイル装置７０に直接制御される。同時に、このフレームにおいて、無線信号送受信装置７５１が設けられたその他の電子装置７５を更に有してもよく、ユーザは、同様にモバイル装置７０を操作することで当該電子装置７５を制御することができる。
【００４３】
このフレームの作動前において、ユーザは、モバイル装置７０内において実行される遠隔操作プログラムを操作することで近傍の制御可能な電子装置（７１、７３、７５）を先に走査することができ、各電子装置における無線信号送受信装置（７１１、７３１、７５１）は、走査信号に応答した際に、無線信号送受信装置自体と電子装置を識別することができる情報を同時に伝送し、これら識別情報がモバイル装置７０の記憶ユニット内に格納されることで、遠隔操作プログラムが識別情報に基づいて制御命令を発することができる。
【００４４】
このフレームにおいて、各電子装置（７１、７３、７５）はいずれもモバイル装置７０内において実行される遠隔操作プログラムに直接識別される。従って、遠隔操作プログラムは、各電子装置（７１、７３、７５）に対応する制御インターフェースを提供する。例を挙げると、電子装置７１が例えばテレビ装置であり、電子装置７３が例えばビデオプレーヤある場合、ユーザは、電子装置７０内の遠隔操作プログラムをビデオプレーヤの遠隔操作インターフェースとして作動するように操作することができ、被制御装置として電子装置７１を選択することができる。テレビ装置の機能を選択した後、次いで被制御装置として電子装置７３を選択すれば、ビデオプレーヤの制御インターフェースに切り替わる。そのため、電子装置７３は、この遠隔操作プログラムに直接制御される。その後、電子装置７３が制御命令に基づいて作動し、制御命令が電子装置７１に電子装置７３のコンテンツを再生するという命令であれば、関連するＡＶコンテンツがビデオ接続７０１経由で電子装置７１に再生される。
【００４５】
図８Ａ乃至図８Ｄは、本発明に係る遠隔操作システムにおいてモバイル装置内での制御インターフェースの選択に実行されるソフトウェアプログラムの実施例を示した図である。
【００４６】
以上の実施例で述べたように、このＨＤＭＩ−ＣＥＣ規格に準拠した遠隔操作方法において、モバイル装置近傍のＨＤＭＩ−ＣＥＣ規格をサポートする電子装置の探索が完了した後、識別され得る電子装置は様々な形式の機器であってよい。各電子装置は、モバイル装置に直接制御される外、ある制御される周辺装置の起動装置であってもよく、ビデオプレーヤ、セットトップボックス、テレビゲーム機等のその他周辺機器であってもよい。そのため、モバイル装置において各被制御装置に対応する制御インターフェースを起動する設定プロセスにおいて、各被制御装置はいずれも適用される一組の制御インターフェースに対応することができる。
【００４７】
図８Ａに示す実施例のとおり、モバイル装置８０において設定インターフェースを起動することで、探索完了後、各電子装置に対応する設定選択肢が提供され、表示画面において、探索によって得られた１つ又は複数の電子装置、例えば図に示す装置（１）８０１、装置（２）８０２及び装置（３）８０３等を列挙することができる。次いで、各電子装置に対応する制御インターフェースを設定する設定インターフェースに進む。
【００４８】
図８Ｂに示すように、モバイル装置８０のソフトウェアプログラムによって先ずテレビ制御インターフェース８０５が表示され、制御インターフェースにテレビ関連の制御項目が表示される。本実施例ではチャンネル、音量及びミュート等の制御項目しか挙げていないが、これは本発明の実施範囲を限定するものではない。また、下方又は特定の位置にユーザが制御インターフェースを切り替え操作できる「次」という表示があり、又は、現在の制御インターフェースを電子装置の制御インターフェースの１つとして「格納する」という表示がある。
【００４９】
図８Ｃは、ビデオプレーヤ制御インターフェース８０７を示す。ビデオプレーヤ制御インターフェース８０７では、ビデオプレーヤの制御項目として、音量、再生及びミュート等を示しているが、本発明の実施形態はこれに制限されない。ユーザは、ビデオプレーヤ制御インターフェース８０７が現在設定しようとする電子装置に対応していなければ、「次」を選択することができ、逆に、この制御インターフェースが現在設定しようとする電子装置に対応するインターフェースであれば、この制御インターフェースを「格納する」ことができる。
【００５０】
図８Ｄは、テレビゲーム機制御インターフェース８０９を示す。制御インターフェースは、テレビゲーム機の制御ボタンとして表示される。同様に、現在設定しようとする電子装置に合致した場合は、この設定を格納し、そうでない場合は、次の制御インターフェースに切り替えることができる。
【００５１】
一旦特定の制御インターフェースによって特定の装置にリンクすると、遠隔操作プログラムはこの決定を記録し、次回、ユーザが被制御装置を選択する際に適切な制御インターフェースを提供する。ユーザは、遠隔操作プログラムによってこのリンク関係を変更することができる。
【００５２】
図９Ａ乃至図９Ｃに示すように、１つの実施例において、遠隔操作プログラムはグラフィカルユーザインターフェースを提供する。
【００５３】
図９Ａに示すように、遠隔操作プログラムがモバイル装置９０内において実行されると、モバイル装置９０は、近傍の機器を探索するステップを実行することができる。主として、無線通信プロトコルに合致した信号によってＨＤＭＩ−ＣＥＣ規格をサポートする電子装置を探索する。被制御装置は、起動装置であってもよく、又は周辺装置であってもよい。図９Ａでは、探索の結果、モバイル装置９０近傍の起動装置（１）９０１及び起動装置（２）９０２がユーザに対する選択肢として提供されている。
【００５４】
一旦ユーザが起動装置を選択すると、制御インターフェースによって、選択が完了したか否かをユーザに確認することができ、ＹＥＳの場合は被制御装置の選択が完了し、そうでなければ、図９Ｂのように選択した起動装置の周辺装置を列挙することができ、これにより、ユーザは制御しようとする周辺装置を引き続き選択することができる。図８Ｂ乃至図８Ｄにおいて、ユーザは、特定の被制御装置の制御インターフェースを取得する。他の実施例において、図９Ｃに示すように、汎用リモートコントローラーにおいて、複数の機能ボタンが含まれることで、ユーザはどのような被制御装置であろうと制御機能を実行することができる。制御インターフェースには、制御項目として方向制御機能９２１及び再生制御機能９２２、並びに多彩な機能と結び付けられたスイッチボタンが含まれる。但し、図に示した内容は本発明の範囲を限定するものではない。
【００５５】
探索完了後、モバイル装置９０の表示画面上に探索結果を表示することができるだけでなく、モバイル装置９０の記憶ユニットに記録することもできる。例えば図４に示す実施例においてモバイル装置に示した記憶ユニット（４０４）がそれに当たる。従って、記憶ユニット（４０４）に少なくとも１つの探索結果が格納されていれば、遠隔操作プログラムによって直接採用することができる。記憶ユニット（４０４）にデータが格納されている場合、遠隔操作プログラムによって格納された走査結果が表示され、ユーザが走査を行おうとするのでない限り、再度走査する必要はない。逆に、若し記憶ユニット（４０４）に格納された走査結果がない場合、遠隔操作プログラムによって近傍の装置の探索を先ず行わなければならない。
【００５６】
以下、関連する方法の実施例について、図１０のフローチャートを用いて説明する。
【００５７】
先ず、ステップＳ１０１において、モバイル装置内の遠隔操作プログラムを起動する。次いで、ステップＳ１０３において、遠隔操作プログラムによってＨＤＭＩ−ＣＥＣ規格をサポートする装置を探索することで、この規格をサポートする１つ又は複数の電子装置の情報を取得する。無線通信プロトコルは、ブルートゥース通信プロトコル、無線ＬＡＮプロトコル、若しくはＷｉ−Ｆｉダイレクトプロトコル、又はその他の任意の無線通信プロトコルであってもよい。
【００５８】
更に、ステップＳ１０５において、探索結果又は記憶ユニット内に記録された情報に基づいて、１つ又は複数の電子装置の探索結果を直接表示して、そのうちの１つの電子装置を被制御装置として選択することができる実施形態以外に、本実施例においては、モバイル装置において先に起動装置の選択肢を表示することができる。ステップＳ１０７において、ユーザが１つの起動装置を被制御装置として選択した場合は、ステップＳ１１３を直接実行することができる。そうでない場合は、ステップＳ１０９を実行して、選択できる起動装置の周辺装置を列挙する。
【００５９】
他の実施例において、上記ステップＳ１０５、Ｓ１０７及びＳ１０９では、一度にすべての被制御装置の選択肢を表示する方式でユーザに提供することが可能であり、階層的な方法で選択しようとする被制御装置を提示する必要はない。また、起動装置又は被制御装置は、ユーザが識別しやすくなるように、番号又は名称で表示することも可能である。
【００６０】
ステップＳ１１１において、ユーザは、上述した選択肢からある電子装置を選択する、即ちそのうち１つの被制御装置を選択することができる。遠隔操作プログラムは、この被制御装置が選択されたことを受信すると、ステップＳ１１３において被制御装置の制御インターフェースを起動する。
【００６１】
被制御装置の制御インターフェース（図８Ｂ乃至図８Ｄ及び図９Ｃを参照）の起動にあたっては、適切な制御インターフェースを提供することを目標とし、制御インターフェースは被制御装置の特性に対応して生成される。１つの実施例において、遠隔操作プログラムは、予め組み込まれた制御インターフェースの選択肢を表示することでユーザに選択させることができる。また、この周辺装置を被制御装置として選択した場合、直ちにインターネット経由で対応する制御インターフェースをダウンロードすることもでき、こうした制御インターフェースの取得方法も、モバイル装置をリモートコントローラーとして採用する本発明の特性に合致する。
【００６２】
この制御インターフェースを起動した後、ステップＳ１１５において、遠隔操作プログラムは、ユーザがこの制御インターフェースを介して生成した制御命令を受信する。ステップＳ１１７において、遠隔操作プログラムは、制御命令を特定の無線通信プロトコルに合致した無線制御信号に変換する。ステップＳ１１９において、無線制御信号を起動装置の無線信号送受信装置に伝送する。制御命令は、選択された被制御装置に対して発せられた当該被制御装置に対応する命令を含み、これにより最終的に選択された被制御装置が使用可能となる。
【００６３】
本発明に係るＨＤＭＩ−ＣＥＣ規格に準拠した遠隔操作システムにおいて、主要素子は、モバイル装置内において実行される遠隔操作プログラムと、起動装置に内蔵又は外部接続される無線信号送受信装置とを含む。１つの実施例において、依然としてＨＤＭＩ−ＣＥＣ規格をサポートしていない装置がある場合は、カスタマイズにより目的を達成することができる。以上の各実施例から分かるように、本発明に係る遠隔操作プログラムによって提供される機能は生成される命令の実行に反映される。即ち、当該命令は、主として、無線通信プロトコルに合致した信号によってモバイル装置近傍のＨＤＭＩ−ＣＥＣ規格をサポートする電子装置を探索する命令、探索によって得られたモバイル装置近傍のＨＤＭＩ−ＣＥＣ規格をサポートする電子装置を表示する命令、電子装置を決定する命令を含み、更に、選択された電子装置に対応する制御インターフェースを表示する命令、制御インターフェースを介して生成された制御命令を受信する命令、制御命令を無線制御信号に変換する命令、及び、無線制御信号を電子装置に伝送する命令を含む。
【００６４】
以上のモバイル装置において実行されるＨＤＭＩ−ＣＥＣ規格に準拠した遠隔操作方法の命令セットは、コンピュータの読み取り可能な格納装置内に格納される。
【００６５】
このように、本発明に係るＨＤＭＩ−ＣＥＣ規格に準拠した遠隔操作方法及び遠隔操作システムによれば、モバイル装置内において実行される遠隔操作プログラムによって実質的に従来のリモートコントローラーとしての機能を取得し、遠隔操作プログラムが起動装置選択肢、被制御装置選択肢、対応する制御インターフェースを提供して、無線信号送受信装置が制御命令をＨＤＭＩ−ＣＥＣ規格に準拠した命令に変換することができる。従って、本発明は、より便利で、且つ従来の各被制御装置それぞれにリモートコントローラーを必要とする等の煩わしさを解消することができる。
【００６６】
以上は、本発明の好ましい実施例を説明するものに過ぎず、本発明の特許請求の範囲に基づいて為された等価の変更や修正は、いずれも本発明の範囲に含まれる。
【符号の説明】
【００６７】
１０、２０、３０  表示装置
１２  リモートコントローラー
１０１、５３、６３  周辺装置（１）
１０２、５５、６４  周辺装置（２）
１０３、５７、６５  周辺装置（３）
２０１、３１、４１、５１１、６１２、７１１、７３１、７５１  無線信号送受信装置
２１  ゲーム機
２２、３２、４０、５０、６０、７０、８０、９０  モバイル装置
２３  セットトップボックス
２５  ビデオプレーヤ
２００  インターネット
３０１  第１のＨＤＭＩ接続インターフェース
３０７  第２のＨＤＭＩ接続インターフェース
３０２  オーディオビデオ信号処理ユニット
３０３  ビデオ出力ユニット
３０４  オーディオ出力ユニット
３０６  マイクロコントローラ
３１１、３１２  ＨＤＭＩ−ＣＥＣ接続
３４  周辺装置
４０１  制御インターフェースユニット
４０３  オペレーティングシステム
４０４  記憶ユニット
４０５  駆動ユニット
４０６、４１１  無線通信ユニット
４１２  信号処理ユニット
４１５  装置接続ユニット
４１６  データユニット
４２、７１、７３、７５  電子装置
４２１  装置接続
５１  起動装置
５０１、５０３、５０５  接続
６１  第１のＨＤＭＩ−ＣＥＣ起動装置
６２  第２のＨＤＭＩ−ＣＥＣ起動装置
７０１  ビデオ接続
８０１  装置（１）
８０２  装置（２）
８０３  装置（３）
８０５  テレビ制御インターフェース
８０７  ビデオプレーヤ制御インターフェース
８０９  テレビゲーム機制御インターフェース
９０１  起動装置（１）
９０２  起動装置（２）
９２１  方向制御機能
９２２  再生制御機能
【図１】
2017038345.tif 000003
【図２】
2017038345.tif 000004
【図３】
2017038345.tif 000005
【図４】
2017038345.tif 000006
【図５】
2017038345.tif 000007
【図６】
2017038345.tif 000008
【図７】
2017038345.tif 000009
【図８Ａ】
2017038345.tif 000010
【図８Ｂ】
2017038345.tif 000011
【図８Ｃ】
2017038345.tif 000012
【図８Ｄ】
2017038345.tif 000013
【図９Ａ】
2017038345.tif 000014
【図９Ｂ】
2017038345.tif 000015
【図９Ｃ】
2017038345.tif 000016
【図１０】
2017038345.tif 000017